(57)【要約】【課題】  アダプタを強固に固定して、光ＬＡＮカードの小型化、薄型化を実現する。【解決手段】  光ファイバケーブル３を介して光信号の送受信を行う光モジュール１４を有する光ＬＡＮカード１０において、光ファイバケーブル３の端部に設けられたプラグ３ａが挿入されるコネクタ部１３ａを有し、光モジュール１４に接続されたアダプタ１３と、プラグ３ａをコネクタ部１３ａに着脱するための開口部２１ｃを有し、アダプタ１３と光モジュール１４とを収納する筐体２１とを備え、アダプタ１３は、コネクタ部１３ａが開口部２１ｃと対向するように筐体２１内面に固定されている。さらに、アダプタ１３は、筐体２１ａ内面に形成されたリブ２３ａ，２３ｂにより固定されている。リブ２３ａ，２３ｂは、例えば、アダプタ１３の尾部に接するＬ字形状のリブである。【選択図】  図３
2005094507.tif 000002
【特許請求の範囲】
【請求項１】
光ファイバケーブルを介して光信号の送受信を行う光モジュールを有する光ＬＡＮカードにおいて、
前記光ファイバケーブルの端部に設けられたプラグが挿入されるコネクタ部を有し、前記光モジュールに接続されたアダプタと、
前記プラグを前記コネクタ部に着脱するための開口部を有し、前記アダプタと前記光モジュールとを収納する筐体とを備え、
前記アダプタは、前記コネクタ部が前記開口部と対向するように前記筐体内面に固定されていることを特徴とする光ＬＡＮカード。
【請求項２】
前記アダプタは、前記筐体内面に形成されたリブにより位置決めされていることを特徴とする請求項１に記載の光ＬＡＮカード。
【請求項３】
前記リブは、前記アダプタの尾部に接するＬ字形状のリブであることを特徴とする請求項２に記載の光ＬＡＮカード。
【請求項４】
前記リブは、前記アダプタの尾部に接するリブと、前記アダプタの側面に接するリブとを含むことを特徴とする請求項２に記載の光ＬＡＮカード。
【請求項５】
前記アダプタは、開口部が設けられたハネ状の突起を有し、前記リブは、前記突起の開口部と勘合するリブであることを特徴とする請求項２に記載の光ＬＡＮカード。
【請求項６】
前記アダプタは、接着剤により前記筐体内面に固定されていることを特徴とする請求項１ないし５のいずれかに記載の光ＬＡＮカード。
【請求項７】
前記アダプタは、凸状の取付部材の凹部と勘合され、該取付部材を前記筐体内面に固定することにより、固定されていることを特徴とする請求項１に記載の光ＬＡＮカード。
【請求項８】
前記取付部材は、前記筐体内面に形成されたリブにより位置決めされていることを特徴とする請求項７に記載の光ＬＡＮカード。
【請求項９】
前記取付部材は、接着剤により前記筐体内面に固定されていることを特徴とする請求項７または８に記載の光ＬＡＮカード。
【請求項１０】
前記光モジュールが実装された基板を備え、前記筐体内面に固定された前記アダプタと対向する前記基板上に、電子部品が実装されていることを特徴とする請求項１ないし９に記載の光ＬＡＮカード。
【請求項１１】
前記光モジュールが実装された基板を備え、該基板は、前記筐体内面に固定された前記アダプタと対向する部分が切り欠かれていることを特徴とする請求項１ないし１０に記載の光ＬＡＮカード。
【発明の詳細な説明】
【技術分野】
【０００１】
本発明は、光ＬＡＮカードに関し、より詳細には、光モジュールにより電気信号と光信号とを相互に変換し、光ファイバケーブルを介して、データの送受信を行うメディアコンバータである光ＬＡＮカードに関する。
【背景技術】
【０００２】
従来、ノートブック型の汎用コンピュータ（以下、ノートＰＣという）は、カードスロットを備え、様々な用途のカードを挿入することができる。例えば、メモリ・カードをカードスロットに挿入して、外部記録媒体として用いることができる。また、ＰＨＳ（Personal Handyphone System）を利用した無線通信用カードをカードスロットに挿入して、インターネット接続に用いることもできる。一方、インターネット接続のための有線通信手段として、８芯のより対線を用いるEthernet（登録商標）で構築されたＬＡＮ（Local Area Network）を経由することが行われている。近年、ＬＡＮにおいても高速化が進み、光ファイバケーブルを通信媒体とするようになった。そこで、ノートＰＣのカードスロットには、光ＬＡＮカードを挿入する。
【０００３】
図１に、従来のノートＰＣ用の光ＬＡＮカードの外観を示す。光ＬＡＮカード１は、ノートＰＣ２のカードスロット４に挿入される。光ＬＡＮカード１に、ＬＡＮの光ファイバケーブル３を接続することにより、ノートＰＣ２は、ＬＡＮを介した通信を行うことができる。例えば、光ＬＡＮカード１は、ＰＣＭＣＩＡ／ＪＥＩＤＡの規格に基づいたタイプＩＩの通信用カードに相当する。
【０００４】
図２に、従来のノートＰＣ用の光ＬＡＮカードの構造を示す。光ＬＡＮカード１は、筐体１１ａ，１１ｂにより形成された内部空間に基板１２を有し、基板１２は、筐体１１ｂにネジ止めにより固定されている。基板１２上には、光ファイバケーブル３の端部に設けられたプラグ３ａが挿入されるコネクタ部１３ａを有するアダプタ１３と、光信号を電気信号に、電気信号を光信号に変換する光モジュール１４などの電子部品と、ノートＰＣ２に接続するための電気コネクタ１５とを実装している。低速の光モジュールの場合には、光モジュールとアダプタとを一体化して実装した光ＬＡＮカードが知られている（例えば、特許文献１参照）。
【０００５】
高速の光モジュールの場合には、光ファイバとの結合効率を向上し、放熱を容易にすることから、図２に示すように、独立した部品となっている。
【０００６】
【特許文献１】特開平７−２２５３２７号公報（段落番号〔００２１〕、第１図）
【発明の開示】
【発明が解決しようとする課題】
【０００７】
このような光ＬＡＮカード１において、光ファイバケーブル３のプラグ３ａの着脱によってアダプタ１３に加わる外圧に耐えるために、アダプタ１３は、基板１２に強固に固定されている。また、基板１２も、筐体１１ｂに強固に固定されている。しかしながら、アダプタ１３が実装された基板１２をネジ止めにより固定する方法では、アダプタ１３の位置決め精度の向上が望めず、カード型の小さな筐体において、アダプタ１３のコネクタ部１３ａと筐体１１の開口部１１ｃとを整合して組み立てることが難しいという問題があった。
【０００８】
また、基板１２上にアダプタ１３を実装するために、基板１２上に実装スペースを確保しなければならず、実装効率が低いという問題もあった。さらに、光ＬＡＮカード１の薄型化にも限界があった。
【０００９】
本発明は、このような問題に鑑みてなされたもので、その目的とするところは、アダプタを強固に固定して、光ＬＡＮカードの小型化、薄型化を実現することができる光ＬＡＮカードを提供することにある。
【課題を解決するための手段】
【００１０】
本発明は、このような目的を達成するために、請求項１に記載の発明は、光ファイバケーブルを介して光信号の送受信を行う光モジュールを有する光ＬＡＮカードにおいて、前記光ファイバケーブルの端部に設けられたプラグが挿入されるコネクタ部を有し、前記光モジュールに接続されたアダプタと、前記プラグを前記コネクタ部に着脱するための開口部を有し、前記アダプタと前記光モジュールとを収納する筐体とを備え、前記アダプタは、前記コネクタ部が前記開口部と対向するように前記筐体内面に固定されていることを特徴とする。
【００１１】
請求項２に記載の発明は、請求項１に記載の前記アダプタは、前記筐体内面に形成されたリブにより位置決めされていることを特徴とする。
【００１２】
請求項３に記載の発明は、請求項２に記載の前記リブは、前記アダプタの尾部に接するＬ字形状のリブであるであることを特徴とする。
【００１３】
請求項４に記載の発明は、請求項２に記載の前記リブは、前記アダプタの尾部に接するリブと、前記アダプタの側面に接するリブとを含むことを特徴とする。
【００１４】
請求項５に記載の発明は、請求項２に記載の前記アダプタは、開口部が設けられたハネ状の突起を有し、前記リブは、前記突起の開口部と勘合するリブであることを特徴とする。
【００１５】
請求項６に記載の発明は、請求項１ないし５のいずれかに記載の前記アダプタは、接着剤により前記筐体内面に固定されていることを特徴とする。
【００１６】
請求項７に記載の発明は、請求項１に記載の前記アダプタは、凸状の取付部材の凹部と勘合され、該取付部材を前記筐体内面に固定することにより、固定されていることを特徴とする。
【００１７】
請求項８に記載の発明は、請求項７に記載の前記取付部材は、前記筐体内面に形成されたリブにより位置決めされていることを特徴とする。
【００１８】
請求項９に記載の発明は、請求項７または８に記載の前記アダプタは、接着剤により前記筐体内面に固定されていることを特徴とする。
【００１９】
請求項１０に記載の発明は、請求項１ないし９に記載の光ＬＡＮカードにおいて、前記光モジュールが実装された基板を備え、前記筐体内面に固定された前記アダプタと対向する前記基板上に、電子部品が実装されていることを特徴とする。
【００２０】
請求項１１に記載の発明は、請求項１ないし１０に記載の光ＬＡＮカードにおいて、前記光モジュールが実装された基板を備え、該基板は、前記筐体内面に固定された前記アダプタと対向する部分が切り欠かれていることを特徴とする。
【発明の効果】
【００２１】
以上説明したように、本発明によれば、アダプタを基板上に実装せずに、筐体の内面に固定するので、アダプタを強固に固定することができ、アダプタのコネクタ部と筐体の開口部とを、精度よく整合して組み立てることができる。また、本発明によれば、光ＬＡＮカードの小型化、薄型化を実現することが可能となる。
【発明を実施するための最良の形態】
【００２２】
以下、図面を参照しながら本発明の実施形態について詳細に説明する。  
図３に、本発明の第１の実施形態にかかる光ＬＡＮカードの構造を示す。図３（ａ）は、光ＬＡＮカード１０の側面から内部を見た透視図である。光ＬＡＮカード１０は、筐体２１ａ，２１ｂの内面を対向させて組み立てることにより形成された内部空間に、基板２２を有している。基板２２は、筐体２１ｂにネジ止めにより固定され、基板２２上には、光モジュール１４などの電子部品が実装されている。光ファイバケーブル３の端部に設けられたプラグ３ａが挿入されるコネクタ部１３ａを有するアダプタ１３は、筐体２１ａの内面に、例えば接着剤を用いて固定されている。このとき、アダプタ１３のコネクタ部１３ａと筐体２１ａの側面に形成された開口部２１ｃとが対向するように固定される。
【００２３】
図３（ｂ）は、筐体２１ａを光ＬＡＮカード１０内部から見た平面図である。ここで、アダプタ１３の光軸方向をＹ軸、光軸に対して垂直で光ＬＡＮカード１０の鉛直方向をＺ軸、光軸に対して垂直で光ＬＡＮカード１０の水平方向をＸ軸とする。アダプタ１３のコネクタ部１３ａと開口部２１ｃとの位置を整合するために、Ｙ軸方向は、筐体２１ａの開口部２１ｃ側面の内壁２１ｄを基準として位置決めされ、Ｚ軸方向は、筐体２１ａの内壁２１ｅを基準として位置決めされる。
【００２４】
また、アダプタ１３の尾部１３ｂ、すなわちコネクタ部１３ａと反対側の端面に接するように、Ｌ字形のリブ２３ａ，２３ｂが設けられている。リブ２３ａ，２３ｂは、筐体２１ａの開口部２１ｃ側面の内壁２１ｄとともに、アダプタ１３のＹ軸方向の位置決めを行い、プラグ３ａの着脱によって生ずるアダプタ１３のＹ軸方向の外圧を受け止め、筐体２１ａに伝えることができる。さらに、リブ２３ａ，２３ｂは、アダプタ１３のＸ軸方向の位置決めを行う。リブ２３ａ，２３ｂは、Ｌ字形をしているが、Ｌ字状に２つのリブを組み合わせて、それぞれのリブを構成することもでき、このようにして角部の成形を容易に行うことができる。
【００２５】
本実施形態によれば、アダプタ１３を基板２２上に実装せずに、筐体２１ａの内面に固定するので、アダプタ１３を筐体２１ａに強固に固定することができる。また、アダプタ１３のコネクタ部１３ａと筐体１１の開口部１１ｃとを、精度よく整合して組み立てることができる。筐体２１ａ，２１ｂは、プラスチックなどの樹脂成形品であり、アダプタ１３の位置決め、固定を行うリブ２３ａ，２３ｂの形成が容易である。また、接着剤による固定を併用することにより、アダプタ１３を筐体２１ａに強固に固定することができる。
【００２６】
図４に、本発明の第２の実施形態にかかる光ＬＡＮカードの構造を示す。図４（ａ）は、光ＬＡＮカード２０の側面から内部を見た透視図である。光ＬＡＮカード２０は、筐体３１ａ，３１ｂの内面を対向させて組み立てることにより形成された内部空間に、基板２２を有している。基板２２は、筐体３１ｂにネジ止めにより固定され、基板２２上には、光モジュール１４などの電子部品が実装されている。光ファイバケーブル３の端部に設けられたプラグ３ａが挿入されるコネクタ部１３ａを有するアダプタ１３は、筐体３１ａの内面に、例えば接着剤を用いて固定されている。このとき、アダプタ１３のコネクタ部１３ａと筐体３１ａの側面に形成された開口部３１ｃとが対向するように固定される。
【００２７】
図４（ｂ）は、筐体３１ａを光ＬＡＮカード２０内部から見た平面図である。アダプタ１３のコネクタ部１３ａと開口部３１ｃとの位置を整合するために、Ｙ軸方向は、筐体３１ａの開口部３１ｃ側面の内壁３１ｄを基準として位置決めされ、Ｚ軸方向は、筐体３１ａの内壁３１ｅを基準として位置決めされる。アダプタ１３は、取付部材３５に勘合固定され、または接着剤で固定される。少なくとも取付部材３５は、筐体３１ａに例えば接着剤で固定される。アダプタ１３も、筐体３１ａに例えば接着剤で固定してもよい。
【００２８】
図５に、取付部材の一例を示す。取付部材３５は、例えば、板状部材を折り曲げて凸状とした治具であり、凸状の内側の凹部３５ａにアダプタ１３が勘合されるように形成されている。また、長手方向の端部に設けられた丸型の開口部３５ｂ，３５ｃは、筐体３１ａのリブ３３ａ，３３ｂと勘合するように形成されている。取付部材３５に勘合固定されたアダプタ１３は、筐体３１ａのリブ３３ａ，３３ｂにより、Ｘ軸方向の位置決めがなされる。
【００２９】
また、筐体３１ａには、アダプタ１３を勘合固定した取付部材３５を固定する際に、アダプタ１３の尾部１３ｂの側にある取付部材３５の端面に接するように、リブ３４ａ，３４ｂが形成されている。リブ３４ａ，３４ｂは、アダプタ１３のＹ軸方向の位置決めを行い、プラグ３ａの着脱によって生ずるアダプタ１３のＹ軸方向の外圧を、取付部材３５を介して筐体３１ａに伝えることができる。
【００３０】
本実施形態によれば、アダプタ１３を基板２２上に実装せずに、筐体３１ａの内面に固定するので、アダプタ１３を筐体３１ａに強固に固定することができる。また、アダプタ１３のコネクタ部１３ａと筐体３１の開口部３１ｃとを、精度よく整合して組み立てることができる。筐体３１ａ，３１ｂは、プラスチックなどの樹脂成形品であり、アダプタ１３の位置決め、固定を行うリブ３３ａ，３３ｂ，３４ａ，３４ｂの形成が容易である。また、接着剤による固定を併用することにより、アダプタ１３を筐体３１ａに強固に固定することができる。
【００３１】
図６に、光ＬＡＮカードの基板上の部品配置を示す。第２の実施形態にかかる光ＬＡＮカード２０においては、アダプタ１３を筐体３１ａに固定するので、アダプタ１３と対向する基板２２の上に電子部品１６ａ，１６ｂを実装することができ、基板上の実装効率を向上することができる。図３に示した第１の実施形態にかかる光ＬＡＮカードにおいても、同様に電子部品を実装することができる。
【００３２】
図７に、本発明の第３の実施形態にかかる光ＬＡＮカードの構造を示す。図７（ａ）は、光ＬＡＮカード３０の側面から内部を見た透視図である。光ＬＡＮカード３０は、筐体４１ａ，４１ｂの内面を対向させて組み立てることにより形成された内部空間に、基板２２を有している。基板２２は、筐体４１ｂにネジ止めにより固定され、基板２２上には、光モジュール１４などの電子部品が実装されている。光ファイバケーブル３の端部に設けられたプラグ３ａが挿入されるコネクタ部１３ａを有するアダプタ１３は、筐体４１ａの内面に、例えば接着剤を用いて固定されている。このとき、アダプタ１３のコネクタ部１３ａと筐体４１ａの側面に形成された開口部２１ｃとが対向するように固定される。
【００３３】
図７（ｂ）は、筐体４１ａを光ＬＡＮカード３０内部から見た平面図である。アダプタ１３のコネクタ部１３ａと開口部４１ｃとの位置を整合するために、Ｙ軸方向は、筐体４１ａの開口部４１ｃ側面の内壁４１ｄを基準として位置決めされ、Ｚ軸方向は、筐体４１ａの内壁４１ｅを基準として位置決めされる。アダプタ１３は、取付部材４５に勘合固定され、または接着剤で固定される。少なくとも取付部材４５は、筐体４１ａに例えば接着剤で固定される。アダプタ１３も、筐体４１ａに例えば接着剤で固定してもよい。
【００３４】
筐体４１ａには、アダプタ１３を勘合固定した取付部材４５を固定する際に、取付部材４５の両端部に形成された位置決め用のＵ字形の開口部と勘合するように、リブ４３ａ，４３ｂが形成されている。リブ４３ａ，４３ｂは、アダプタ１３のＸ軸方向の位置決めを行う。また、アダプタ１３の尾部１３ｂに接するように、リブ４４ａ，４４ｂが設けられている。リブ４４ａ，４４ｂは、筐体４１ａの開口部４１ｃ側面の内壁４１ｄとともに、アダプタ１３のＹ軸方向の位置決めを行い、プラグ３ａの着脱によって生ずるアダプタ１３のＹ軸方向の外圧を受け止め、筐体４１ａに伝えることができる。
【００３５】
本実施形態によれば、アダプタ１３を基板２２上に実装せずに、筐体４１ａの内面に固定するので、アダプタ１３を筐体４１ａに強固に固定することができる。また、アダプタ１３のコネクタ部１３ａと筐体４１の開口部４１ｃとを、精度よく整合して組み立てることができる。筐体４１ａ，４１ｂは、プラスチックなどの樹脂成形品であり、アダプタ１３の位置決め、固定を行うリブ４３ａ，４３ｂ，４４ａ，４４ｂの形成が容易である。また、接着剤による固定を併用することにより、アダプタ１３を筐体４１ａに強固に固定することができる。
【００３６】
図８に、本発明の第４の実施形態にかかる光ＬＡＮカードの構造を示す。図８（ａ）は、光ＬＡＮカード４０の側面から内部を見た透視図である。光ＬＡＮカード４０は、筐体５１ａ，５１ｂの内面を対向させて組み立てることにより形成された内部空間に、基板３２を有している。基板３２の外周部の一部は、筐体５１ｂの内部に設けられたＬ字型の段差５１ｄに固定され、外周部の他部は、ノートＰＣに接続するための電気コネクタ（不図示）とともに、筐体５１ａ，５１ｂに挟持されている（不図示）。光ファイバケーブル３の端部に設けられたプラグ３ａが挿入されるコネクタ部１３ａを有するアダプタ１３は、筐体５１ａの内面に、例えば接着剤を用いて固定されている。アダプタ１３の固定は、例えば、図４に示した第２の実施形態と同じ方法で固定する。
【００３７】
図８（ｂ）は、基板３２を電子部品の実装面から見た平面図である。基板３２の形状は、筐体５１ａに固定されたアダプタ１３に対向する部分を切り欠いた形になっている。基板３２の電子部品を実装する面積が小さくなるが、光ＬＡＮカード４０全体の厚さを薄くすることができる。また、光モジュール１４を実装する部分だけ、基板３２の厚さを薄くすることにより、さらに、光ＬＡＮカード４０全体の厚さを薄くすることができる。本実施形態によれば、光ＬＡＮカードの小型化、薄型化を実現することができると共に、部品点数を削減することができ、組立工程を簡素化することができる。
【００３８】
図９に、本発明の第５の実施形態にかかる光ＬＡＮカードの構造を示す。筐体６１ａを光ＬＡＮカード５０内部から見た平面図である。アダプタ１３のコネクタ部１３ａと開口部６１ｃとを整合するために、Ｙ軸方向は、筐体６１ａの開口部６１ｃ側面の内壁を基準として位置決めされ、Ｚ軸方向は、筐体６１ａの内壁を基準として位置決めされる。筐体６１ａには、アダプタ１３を固定する際に、アダプタ１３の側面に接するように、リブ６３ａ，６３ｂが形成されている。リブ６３ａ，６３ｂは、アダプタ１３のＸ軸方向の位置決めを行う。また、アダプタ１３の尾部１３ｂに接するように、リブ６４ａ，６４ｂが設けられている。リブ６４ａ，６４ｂは、筐体６１ａの開口部６１ｃ側面の内壁とともに、アダプタ１３のＹ軸方向の位置決めを行い、プラグ３ａの着脱によって生ずるアダプタ１３のＹ軸方向の外圧を受け止め、筐体６１ａに伝えることができる。
【００３９】
図１０に、本発明の第６の実施形態にかかる光ＬＡＮカードの構造を示す。筐体７１ａを光ＬＡＮカード６０内部から見た平面図である。アダプタ７３には、プラグ３ａが挿入されるコネクタ部７３ａを除く３つの側面に、ハネ状の突起７３ａ〜７３ｃが設けられている。ハネ状の突起７３ａ〜７３ｃには、例えば、丸形の開口部が設けられ、筐体７１ａに設けられたリブ７４ａ〜７４ｃと勘合する。リブ７４ａ〜７４ｃは、Ｘ軸方向およびＹ軸方向の位置決めを行うとともに、プラグ３ａの着脱によって生ずるアダプタ７３のＹ軸方向の外圧を受け止める。
【産業上の利用可能性】
【００４０】
汎用コンピュータなどに設けられたカードスロットに挿入される、光ファイバケーブルを通信媒体とする通信カードにおいて、アダプタを強固に固定して、通信カードの小型化、薄型化を実現することができる。
【図面の簡単な説明】
【００４１】
【図１】従来のノートＰＣ用の光ＬＡＮカードを示す外観図である。
【図２】従来のノートＰＣ用の光ＬＡＮカードの側面から内部を見た透視図である。
【図３】本発明の第１の実施形態にかかる光ＬＡＮカードの構造を示す図である。
【図４】本発明の第２の実施形態にかかる光ＬＡＮカードの構造を示す図である。
【図５】取付部材の一例を示す斜視図である。
【図６】光ＬＡＮカードの基板上の部品配置を示す図である。
【図７】本発明の第３の実施形態にかかる光ＬＡＮカードの構造を示す図である。
【図８】本発明の第４の実施形態にかかる光ＬＡＮカードの構造を示す図である。
【図９】本発明の第５の実施形態にかかる光ＬＡＮカードの構造を示す図である。
【図１０】本発明の第６の実施形態にかかる光ＬＡＮカードの構造を示す図である。
【符号の説明】
【００４２】
１    光ＬＡＮカード
２    ノートＰＣ
３    光ファイバケーブル
４    カードスロット
１０，２０，３０，４０，５０，６０    光ＬＡＮカード
１１，２１，３１，４１，５１，６１，７１    筐体
１２，２２，３２    基板
１３，７３    アダプタ
１４    光モジュール
１５    電気コネクタ
１６    電子部品
２３〜２５，３３，３４，４３，４４，６３，６４，７４    リブ
３５，４５    取付部材
【図１】
2005094507.tif 000003
【図２】
2005094507.tif 000004
【図３】
2005094507.tif 000005
【図４】
2005094507.tif 000006
【図５】
2005094507.tif 000007
【図６】
2005094507.tif 000008
【図７】
2005094507.tif 000009
【図８】
2005094507.tif 000010
【図９】
2005094507.tif 000011
【図１０】
2005094507.tif 000012